(57)【要約】【課題】最小の接触によるノイズ伝達の低減と、ハウジング内でのモータの十分な保持と、の間のバランスがとれた手持ち式機器を提供すること。【解決手段】本発明は、外壁と内壁とを有するハンドルと、前記内壁内のハウジング内に収容されたモータと、を備えた手持ち式機器である。前記モータと前記ハウジングとの間に、モータ取付要素が設けられる。前記モータ取付要素は、前記モータの周りに延在して、当該モータ取付要素の径方向周りに一列に配置されて前記ハウジングに向かって延在する複数の区分された突出部を有する、柔軟なスリーブを有する。前記ハウジングは、前記モータ取付要素を当該ハウジング内に支持するための２つの環状着座部を有している。前記ハウジングは、前記複数の区分された突出部を受容するために前記内壁の内面の径方向周りに延在する凹部を有している。【選択図】図３
2018038257.tif 000002
【特許請求の範囲】
【請求項１】
外壁と内壁とを有するハンドルと、
前記内壁内のハウジング内に収容されたモータと、
を備えた手持ち式機器であって、
前記モータと前記ハウジングとの間に、モータ取付要素が設けられ、
前記モータ取付要素は、前記モータの周りに延在して、当該モータ取付要素の径方向周りに一列に配置されて前記ハウジングに向かって延在する複数の区分された突出部を有する、柔軟なスリーブを有し、
前記ハウジングは、前記モータ取付要素を当該ハウジング内に支持するための２つの環状着座部を有しており、
前記ハウジングは、前記複数の区分された突出部を受容するために前記内壁の内面の径方向周りに延在する凹部を有している
ことを特徴とする手持ち式機器。
【請求項２】
前記モータ取付要素は、当該モータ取付要素の径方向周りに延在する第２の一列の複数の区分された突出部を有しており、
前記ハウジングは、前記第２の一列の複数の区分された突出部を受容するために前記内壁の内面の径方向周りに延在する第２凹部を有している
ことを特徴とする請求項１に記載の手持ち式機器。
【請求項３】
前記凹部と前記第２凹部との間において、前記内壁は、円弧形状となっている
ことを特徴とする請求項２に記載の手持ち式機器。
【請求項４】
前記凹部と前記第２凹部との間において、前記内壁の前記内面は、凸状となっている
ことを特徴とする請求項３に記載の手持ち式機器。
【請求項５】
前記凹部と前記第２凹部との間において、前記内壁の前記内面は、前記モータ取付要素から離れるように曲がっている
ことを特徴とする請求項３または４に記載の手持ち式機器。
【請求項６】
前記モータ取付要素は、当該モータ取付要素の外面の径方向周りに延在するリップシールを有している
ことを特徴とする請求項１乃至５のいずれかに記載の手持ち式機器。
【請求項７】
前記リップシールは、前記モータ取付要素の周りの略中心に位置している
ことを特徴とする請求項６に記載の手持ち式機器。
【請求項８】
前記円弧形状は、前記リップシールが前記内壁の前記内面と係合するような大きさとなっている
ことを特徴とする請求項３乃至５のいずれかに従属する請求項６または７に記載の手持ち式機器。
【請求項９】
当該機器は、ヘアケア機器である
ことを特徴とする請求項１乃至８のいずれかに記載の手持ち式機器。
【請求項１０】
前記ヘアケア機器は、ホットスタイリング機器である
ことを特徴とする請求項９に記載の手持ち式機器。
【発明の詳細な説明】
【技術分野】
【０００１】
本発明は、手持ち式機器に関しており、特には、ホットスタイリング装置のようなヘアケア機器に関している。
【背景技術】
【０００２】
多くの手持ち式機器は、ファン及びモータを有するファンユニットを備えている。電気モータは、次第に洗練されてきており、現在の設計では、より高い回転速度が可能となっている。電気モータのそのような１つの設計は、本件出願人によって手持ち式バキュームクリーナの分野で利用されているブラシレスＤＣモータである。それは、１００Ｋｒｐｍ程度の回転速度で駆動され得る。
【０００３】
バキュームクリーナ、ファン、及び、エアケア機器のような流体移動機器における高速モータの利用は、技術的に魅力的である。なぜなら、物理的に小型のモータが装備されたファンユニットは、大変高い流体流量をもたらし得るからである。
【０００４】
しかしながら、特に手持ち式機器の場合、モータは、機器の重量の有意な部分を形成し得る。従って、当該機器が落下する際、モータは、損傷と、そのハウジングからの分離と、から保護されなければならない。
【０００５】
モータを保護する１つの態様は、モータの周りに保護スリーブを設けることである。しかしながら、この保護スリーブすなわちモータ取付要素とハウジングとの間の何らかの接触が、振動及びノイズのモータからハウジングへの伝達路を提供してしまう。従って、最小の接触を有することが有利であるが、最小の接触は、モータのハウジングからの分離を防ぐための十分な接触を提供しないかもしれない。
【発明の概要】
【発明が解決しようとする課題】
【０００６】
本発明は、最小の接触によるノイズ伝達の低減と、ハウジング内でのモータの十分な保持と、の間のバランスを見出すことを目的とする。
【課題を解決するための手段】
【０００７】
本発明は、外壁と内壁とを有するハンドルと、前記内壁内のハウジング内に収容されたモータと、を備えた手持ち式機器であって、前記モータと前記ハウジングとの間に、モータ取付要素が設けられ、前記モータ取付要素は、前記モータの周りに延在して、当該モータ取付要素の径方向周りに一列に配置されて前記ハウジングに向かって延在する複数の区分された突出部を有する、柔軟なスリーブを有し、前記ハウジングは、前記モータ取付要素を当該ハウジング内に支持するための２つの環状着座部を有しており、前記ハウジングは、前記複数の区分された突出部を受容するために前記内壁の内面の径方向周りに延在する凹部を有していることを特徴とする手持ち式機器を提供する。
【０００８】
好適には、前記モータ取付要素は、当該モータ取付要素の径方向周りに延在する第２の一列の複数の区分された突出部を有しており、前記ハウジングは、前記第２の一列の複数の区分された突出部を受容するために前記内壁の内面の径方向周りに延在する第２凹部を有している。
【０００９】
好適な実施形態では、前記凹部と前記第２凹部との間において、前記内壁は、円弧形状となっている。
【００１０】
好適には、前記凹部と前記第２凹部との間において、前記内壁の前記内面は、凸状となっている。
【００１１】
好適な実施形態では、前記凹部と前記第２凹部との間において、前記内壁の前記内面は、前記モータ取付要素から離れるように曲がっている。
【００１２】
好適には、前記モータ取付要素は、当該モータ取付要素の外面の径方向周りに延在するリップシールを有している。
【００１３】
好適な実施形態では、前記リップシールは、前記モータ取付要素の周りの略中心に位置している。
【００１４】
好適には、前記円弧形状は、前記リップシールが前記内壁の前記内面と係合するような大きさとなっている。
【００１５】
好適な実施形態では、当該機器は、ヘアケア機器であり、更に好適には、ホットスタイリング機器である。
【００１６】
本発明は、添付の図面を参照して、例示的に説明される。
【図面の簡単な説明】
【００１７】
【図１】図１は、本発明によるユーザインタフェースが用いられ得る機器を示している。
【図２】図２は、本発明によるハンドルの縦断面図を示している。
【図３】図３は、図２の部分拡大図を示している。
【発明を実施するための形態】
【００１８】
図１及び図１を参照して、手持ち式機器１０の一例が図示されている。機器は、ハンドル２１０と、ヘアスタイリングのためのアタッチメント２０と、を備えている。ユーザが様々なスタイルを生成することを可能にするべく、また、機器に複数の機能性を与えるべく、アタッチメント２０は取り外し可能であり、別のアタッチメントと交換され得る。また、アタッチメント２０は、非使用時においても、機器のより容易な保管を許容するべく、取り外され得る。ハンドル２１０は、幾つかの異なる加熱設定及び流量設定の間でユーザが選択することを可能にする、幾つかの様々なユーザ作動ボタン３８、１３８を含んでいる。ハンドル２１０は、ＰＣＢ（印刷回路基板）９０と、ファンとモータとを有するファンユニット７０と、ヒータ８０と、を有している。使用時、ファンユニット７０は、流体入口部２１２を介して流体を引き入れ、流体はＰＣＢ９０を通過して、ファンユニット７０及びヒータ８０を通され、アタッチメント２０の流体出口部２２から放出される。
【００１９】
特に図３を参照して、モータ７０は、モータ取付要素１００に収容されており、モータ取付要素１００は、モータ７０の周りに延在している。モータ取付要素１００は、略円筒形状の柔軟なスリーブ１１２であり、第１開口端１１４と第２開口端１１６とを有している。第１開口端１１４と第２開口端１１６との両方の直径は、スリーブ１１２の直径と実質的に等しい。モータ取付要素１００ないしスリーブ１１２は、ヘアドライヤ１０のハンドル２０の長手方向軸Ｘ−Ｘと一致しているか、それと平行である長手方向軸Ｙ−Ｙに沿って延びている。第１開口端１１４と第２開口端１１６とは、スリーブ１１２の長手方向軸Ｙ−Ｙに垂直な面内に存在している。
【００２０】
スリーブ１１２の形態が、チャンバ１１８を規定している。チャンバ１１８の中に、モータとインペラとを有するファンユニット７０が受容されている。ファンユニット７０は、スリーブ１１２の開口端１１４、１１６を介してチャンバ１１８の中に受容される。スリーブ１１２は、ポリマーのような柔軟材料で構成されており、ファンユニット７０の外面上で引っ張られ得て、必要な場合、伸展され得る。これにより、スリーブ１１２の内面１２２は、靴下のように、ファンユニット７０の周りに緊密な適合を形成する。一対の環状の内側フランジ１２４が、スリーブの内面１２２から径方向内側へと延在している。これらのフランジ１２４は、チャンバ１１８の範囲を規定して、ファンユニット７０をスリーブ１１２に対する所定位置に保持するようになっている。内面１２２は、本実施形態では、ファンユニット７０の円筒形の外形輪郭にぴったり倣うように、円滑である。
【００２１】
ファンユニット７０は、簡単のため、及び、モータ取付要素１００の細部を難解にしないため、概略的に図示されている。ファンユニットは、本発明の概念にとって中心的でないので、詳細には説明されない。また、本実施形態では、ファンユニット７０の全体がモータ取付要素１００内に収容されているが、これも必須ではない。ファンは、モータ取付要素１００の外部にあってもよい。
【００２２】
モータ取付要素１００の１つの目的は、フファンユニット７０の周りに適合して、ファンユニット７０の外部ケースと、当該ファンユニット７０が設置される装置の内面と、の間で絶縁インタフェースとして作用することである、モータ取付要素１００の当該絶縁特性を高めるために、スリーブ１１２には、ノイズ減衰手段が設けられている。本実施形態では、ノイズ減衰手段は、２列の突出要素１３２、１３４の形態をとっている。それらは、モータ取付要素１００の外面１３０の径方向周りに間隔を空けて設けられている。
【００２３】
各突出要素１３２、１３４は、直円錐として形成されたスタッドであり、その各々は鋭い先端を規定している。それは、頂部１３６としても言及され、スリーブ１１２から離れるように向いている。
【００２４】
モータによるファンユニット７０のインペラの回転は、振動を生成する。当該振動は、モータ取付要素１００を介してハンドル２１０に向かって伝達される。機器の目的に依存して、モータ取付要素１００とハウジング２５０との間に位置する少なくとも１つの環状シール２６０が、モータハウジングとファンユニット７０との重量下で圧縮されて、シール係合面ないしフランジ２６２とシール係合状態になっている。環状シール２６０は、従って、ハウジング２５０の内面２２０ａとモータ取付要素１００の外面１００ａとの間に延びる経路に沿って主たる空気流が進行してしまうことを防ぐだけでなく、これら振動のフランジ２６２及びハンドル２１０への伝達を低減する。モータ取付要素１００とハウジング２５０との間の突出要素１３４、１３６の存在が、モータ取付要素１００であるスリーブ１１２を介してのケーシングの内壁２２０ａへの振動伝達を抑制する。複数の要素１３４、１３６の柔軟性が、それらがハウジング２５０に対して軸方向にも径方向にも撓むことを許容する。これが、ファンユニットからの振動の伝達を低減させる。
【００２５】
第２タイプの突出要素が、スリーブ１１２の周りに延在するリップシール１４０である。リップシール１４０は、比較的大きな面積でハウジングに接触するが、当該リップシール１４０は、ファンユニットとハウジングとの間にシールを生成することのみが意図されていて、ファンユニットの径方向振動を吸収することは意図されていない。結果的に、リップシールは、当該シールがファンユニットの径方向振動にとっての比較的適切でない（ｐｏｏｒ）伝達を提供するように構成されるかもしれない。特に、当該シールの径方向のコンプライアンス（ｃｏｍｐｌｉａｎｃｅ）は、突出要素のそれよりも大きいかもしれない。結果的に、ハウジングに対するファンユニットの径方向振動は、リップシール１４０ではなく、突出要素１３４、１３６によって対抗（抵抗）されることになる。
【００２６】
本実施形態では、リップシール１４０は、スリーブ１１２の長さに沿った略中央に位置している。もっとも、リップシール１４０は、突出要素１３２、１３４の機能と干渉しない限りにおいて、スリーブ１１２の長さに沿った任意の場所に配置され得る。
【００２７】
内壁２２０は、ハウジング２５０を含んでいる。そして、ハウジング２５０は、一対の環状着座部２６０を含んでいる。環状着座部２６０の各々は、内壁２２０の径方向内側に延在しており、ハウジング２５０内でのモータ取付要素１００の位置を規定している。各環状着座部２６０は、モータ取付要素１００の各端１１４、１１６に係合して、ハウジング２５０内にモータ取付要素１００を保持している。各環状着座部２６０には、ハウジング２５０及び内壁２２０の径方向内側に延在するフランジ２６２が設けられていて、当該フランジ２６２は、モータ取付要素１００の端部１１４、１１６と係合するようになっている。
【００２８】
モータは、機器１０において比較的重い構成要素であり、柔軟なモータ取付要素１００の内部に、ノイズ低減のため最小の接触で収容されている。従って、機器が落下した場合、ハウジング２５０から離れるファンユニット７０には多くの抵抗が存在しない。ファンユニット７０をその正しい位置に保持することを助けるために、ハウジング２５０には、当該ハウジング２５０内の内壁２２０の内面２２０ａの径方向周りに延在する一対の凹部２７０が設けられている。当該一対の凹部は、それぞれ、モータ取付要素１００の外面１３０の径方向周りに間隔を空けて設けられた２列の突出要素１３２、１３４の一方を、受容するようになっている。
【００２９】
一対の凹部２７０は、第１フランジ２７２及び第２フランジ２７４によって規定された内壁２２０の内面２２０ａ周りのチャネルである。第１フランジ２７２及び第２フランジ２７４の各々は、機器１０の長手方向軸Ｘ−Ｘに直交している。通常、突出要素１３２、１３４は、第１フランジ２７２及び第２フランジ２７４の間の一対の凹部２７０のそれぞれの一方で保持される。
【００３０】
一対の凹部２７０の間で、ハウジング２５０は、湾曲壁２５２を有している。その曲率は、凸状であり、モータ取付要素１００及びモータ取付要素１００の長手方向軸Ｙ−Ｙに対して径方向外方である。湾曲壁２５２は、例えば機器が十分な高さから落下した場合のファンユニット７０のハウジング２５０に対する動きによって突出要素１３２、１３４の１または複数が各凹部２７０から引き出されてしまった場合に、突出要素１３２、１３４を各凹部２７０内に再配置することをアシストする。
【００３１】
湾曲壁２５２は、モータ取付要素１００の外周の周りのリップシール１４０と係合する。リップシール１４０は、これを達成する十分な長さを有しているか、あるいは、円弧形状が、リップシールが内壁の内面と係合するようなサイズとなっている。
【００３２】
本発明は、ホットスタイリング装置に関して詳細に説明されたが、流体を引き込んで当該機器からの当該流体の出力流を指向させる任意の機器に適用可能である。
【００３３】
当該機器は、ヒータと共に用いられ得るし、ヒータ無しでも用いられ得る。高速での流体出力流の作用は、乾燥作用である。
【００３４】
当該機器を通って流れる流体は、一般的には空気であるが、任意の単一の気体や気体の様々な組み合わせであり得るし、当該機器の性能や、当該機器が対象物（例えば、ヘア）上に有する衝撃や、当該ヘアのスタイリングを改善するための添加剤を含み得る。
【００３５】
前述の実施形態では、スリーブは円筒形である。しかしながら、これは、本発明にとって必須ではない。スリーブは、代わりに、異なる断面輪郭を有し得る。ここで、当該輪郭は、モータケーシングの円筒形輪郭に適合する場合には、円筒形である。なぜなら、スリーブは、モータケーシングの外面に倣うべきだからである。従って、スリーブは、モータの外側ケーシングに適合するよう要求される輪郭を有し得る。もっとも、円筒形のモータケーシングが、最も一般的である。
【００３６】
本発明は、前述の詳細な説明に限定されない。修正が、当業者に明らかである。
【図１】
2018038257.tif 000003
【図２】
2018038257.tif 000004
【図３】
2018038257.tif 000005